【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
１面のみ開口部を持ちロールペーパー（７）を挿入可能な寸法・体積を持つ略立方体の筐体（１）と、両端を円弧状に反転させ内面が円滑かつ弾力性を有する内板（４）と、中央が前期筐体（１）の開口部寸法よりやや大きく略開口部を塞ぐ3面体の蓋（２）とを有し、筐体内部に内板（４）を凹状に挿入後両端の円弧状に反転させた端部（５）を筐体（１）内面に接着固定し、筐体（１）内にロールペーパー（７）を挿入後に蓋（２）で開口部を覆い、蓋（２）の端部内側と筐体（１）の開口部に隣接する外面とを固着・剥離自在の接続体で固定し、開口部の一端と蓋部の隙間からロールペーパーを繰り出しすることを特徴とするロールペーパー用ケース。
【請求項２】
蓋（２）の取り付け方向を交換することにより、上下の開口部位置から自由にロールペーパー（７）を繰り出すことができることを特徴とする請求項１記載のロールペーパー用ケース。
【請求項３】
筐体（１）の開口部に隣接する面に環部を有する金具（３）等を取り付け、つり下げて使用することができることを特徴とする請求項１及び２に記載のロールペーパー用ケース。
【手続補正２】
【補正対象書類名】明細書
【補正対象項目名】全文
【補正方法】変更
【補正の内容】
【発明の詳細な説明】
【発明の名称】ロールペーパー用ケース
【技術分野】
【０００１】
本発明は、ロールペーパーの収納および自在繰り出しケースに関するものである。
【背景技術】
【０００２】
従来のトイレットペーパーやキッチンペーパに代表されるロールペーパーに見られるように、その収納は、中心部分に心棒等を挿入して、その心棒を中心にロールペーパーを回転させて繰り出すものが主流であるために、利用時に回転音を発するのが特徴である。
【０００３】
トイレットペーパーに代表される防塵機能を備えた収納箱としての機能は十分に満たされ、床置きでも吊り下げても利用可能な構造としているが、単なる予備的ロールペーパー収納箱の機能に留まり、必要分のみを繰り出して利用する目的には叶っていない。例えば実用新案公報平４―７８２３号。
【０００４】
ロールペーパーやテッシュペーパーを天井からの吊り下げハンガーを用いて、必要な箇所に吊り下げて取り出せる考案が見られるが、防塵対策は全く施されてなく、かつ吊り下げの方法のみが利用出来る等の制約条件がある。例えば公開実用新案公報昭５９−５０３９５号。
【０００５】
一方、中に収納したロールペーパーが外部に露出することなく、必要な分量を繰り出して利用でき、防塵対策にも優れている発明があるが、ロールペーパーの回転が収納箱の底面に設けられた２本のローラーにより回転するため、不安定かつ回転音が発生し、繰り出したロールペーパーは収束した状態でカットされるため、利用にあたっては再度広げる作業を行う必要があるなど、使い勝手に優れているとは思えない。例えば特開２００２−１７７１６３号。
【０００６】
【特許文献１】実用新案平４―７８２３号公報
【特許文献２】公開実用新案昭５９−５０３９５号公報
【特許文献３】特開２００２−１７７１６３号公報
【発明の開示】
【発明が解決しようとする課題】
【０００７】
従来のロールペーパーの収納・繰り出しは、トイレットペーパーに代表されるように中心部分にローラー状の心棒を挿入して、その心棒を中心に回転させ、カット用の押さえ蓋の端を活用して切り離していたのが主流である。しかし、この方法ではロールペーパーの覆はカット用の蓋のみであり、埃等からの防御は困難でありすべからく不衛生である。
【０００８】
また、トイレットペーパーホルダーに代表されるように、ロールペーパーをカットするための押さえ蓋が付属されているため、ロールペーパーを繰り出す際にカラカラと大きな音を出すことも特徴的であると共に、壁面等に固定しないと使用できない構造であり、下方向にのみロールペーパーを繰り出し、他方向には繰り出すことが出来ない課題があった。
【０００９】
本発明は、従来の技術・構造が有するこのような課題を鑑みてなされたものであり、その目的とするところは、ロールペーパーを衛生的に保持し、繰り出しの音が皆無のうえ、吊り下げての使用のほか机上や床面等への据え置きが可能で、繰り出し方向も上下に自在に行えることが出来るロールペーパー用ケースとしたことにある。
【課題を解決するための手段】
【００１０】
上記目的を解決する第１の解決手段として、ロールペーパー全体を筐体に納めることを主眼としている。即ち、１面のみを開口部とするロールペーパー収納用筐体に、該筐体内部にロールペーパーを緩く固定及び自在かつ静粛に回転させるための凹状の固定内板を設け、端部を固着・剥離自在とする３面構造の蓋をかぶせることにより、外部から見かけ上の遮断構造を有するロールペーパー用ケースを創出できる。
【００１１】
第２の解決手段は、蓋の固着方向を交替させることにより、ロールペーパーを上下方向に自在に繰り出し可能とする構造である。
【００１２】
第３の手段は、該筐体の開口部に隣接する面に環部を有する金具を設けることにより、ロールペーパー用ケースを吊して使用できることにある。
【発明の効果】
【００１３】
本発明は、構造的に特段の複雑さは有していないが、その構造及び機能構成から、次に記載する効果を奏する。
【００１４】
本ロールペーパー用ケースの該筐体（１）は開口部が１面であり、蓋（２）を該筐体（１）に密着させて固定することにより、ほぼ密閉状態を作り出すことが可能であり、そのため内部に装着したロールペーパーは外部からの塵や埃からほぼ完全に保護され、ロールペーパーの使用期間中も含めて非常に衛生的である。
【００１５】
本ロールペーパー用ケースにはロールペーパーの回転用心棒を有していないで、内板（４）の内面をロールペーパーの外周が転がって回転するため、繰り出しに伴って回転するロールペーパーの音が顕著に静粛である。
従って、トイレに利用した場合でも使用者のロールペーパー繰り出し音が、外部に気付かれないなどの利点を有している。
【００１６】
本ロールペーパー用ケースは蓋（２）の取り付け方向を交替させる事のみで、上下からの繰り出しが自在に選べるため、机上や床上に設置の場合は上部繰り出しとし、トイレや壁面等への吊り下げ利用の場合は、下部繰り出しとすることが可能であり、使用場所や目的に対する制約が少ない。
【００１７】
本ロールペーパー用ケースは、ロールペーパー（７）の外側が筐体（１）に固着された内板（４）と接して回転するため、ロールペーパー自体の心材の有無に関係なく使用することができる。
【発明を実施するための最良の形態】
【００１８】
以下、本発明の実施の形態を図１〜図４に基づいて説明する。
【００１９】
本ロールペーパー用ケースは筐体（１）と蓋（２）と内板（４）とによって構成される。請求項１の目的を達成するための構造と機能について、未使用のロールペーパー（７）を内部に挿入出来る余裕を持たせた１面のみを開口部とする略立方体の筐体（１）を収納母体とし、その内部に端部を円弧状に反転（５）させかつ内面が円滑で弾力性のある内板（４）を凹状に折り曲げて該筐体（１）の内部に装填し、その反転させた円弧状端部の外面と、該筐体（１）の端部内面を接着剤等で固定することによりロールペーパー収納部とする。
なお、材質については樹脂、金属、紙、布等が適当であるがそれらの組み合わせを含み、本発明においては特に材質を特定するものではない。
【００２０】
内板（４）の該筐体への固定に際しては、円弧状に反転させ凹状となった入り口寸法は未使用のロールペーパー（７）の直径よりやや小さくすることで、ロールペーパーの収納部への装着時の内部固定を容易にする。
なお、材質については樹脂等が適当であるが、本発明においては特に材質を特定するものではない。
【００２１】
該収納部に装填したロールペーパーのカット及び次のロールペーパー端部引き出しを容易にするため蓋（２）は、該筐体（１）の開口部に対峙する中央の面の寸法を該筐体（１）寸法よりもやや大きくした３面体とする。
なお材質については、該筐体と同じものが適当であるが、デザイン性等も考慮して他の材質を含み特に特定するものではない。
【００２２】
３面体の蓋（２）の両端部の内面と該筐体（１）の開口部に隣接する面の外面とをマジックケープ（登録商標）等の固着および剥離が自在の接続体で固定することにより、該筐体（１）内部に装填するロールペーパー（７）を、見かけ上外部から遮断した状態に作り出すことが出来る。
【００２３】
請求項２の目的を達成するための構造と機能について、該筐体（１）に自在固定する蓋（２）は取り付け方向を交替させることによって、上下自在にロールペーパーの繰り出し方向を選定することができる。この場合、収納部に装填するロールペーパーの繰り出し方向も目的方向に装填することが望ましい。
【００２４】
請求項３の目的を達成するための構造と機能について、該ロールペーパー用ケースは通常、机上や床上での使用に適しているが、従来の使用目的であるトイレや壁面への使用も環部を持つ金具（３）を該筐体（１）の開口部の繰り出し面に取り付けることにより、使用場所の制約を極力排除できる。
なお、構造的には環部を有する構造金具等が適当であるが、吊り下げの機能を有するものであれば本発明においてその構造および素材を特定するものでない。
【図面の簡単な説明】
【００２５】
【図１】本ロールペーパー用ケースの斜視図
【図２】本ロールペーパー用ケースの蓋を開けた状態の斜視図
【図３】本ロールペーパー用ケースのロールペーパー装着状態の断面図
【図４】本ロールペーパー用ケースの筐体に内板を固着した状態の断面斜視図
【符号の説明】
【００２６】
１  筐体
２  蓋
３  環部を有する金具
４  内板
５  円弧状に反転させた端部
６  繰り出し口
７  ロールペーパー
【手続補正３】
【補正対象書類名】図面
【補正対象項目名】図１
【補正方法】変更
【補正の内容】
【図１】
2005312744.tif 000001